(57)【要約】  車速とアクセル開度とに基づいて目標駆動力を設定する車両制御装置であって、走行モードが通常モードから加速要求モードに切り替えられた場合に、アクセル開度と、モード切り替え時の車速とに基づいて目標駆動力を設定する。
2014045697.tif 000002
【特許請求の範囲】
【請求項１】
車速とアクセル開度とに基づいて目標駆動力を設定する目標駆動力設定手段と、
前記目標駆動力を実現するように無段変速機の目標変速比を設定する目標変速比設定手段と、
前記目標駆動力と変速比とに基づいて駆動源の目標トルクを設定する目標トルク設定手段とを備えた車両制御装置であって、
前記車速を検出する車速検出手段と、
前記アクセル開度を検出するアクセル開度検出手段と、
前記アクセル開度に基づいて加速要求を判定する加速要求判定手段と、
前記加速要求に基づいて、走行モードを通常モード、または加速要求モードに切り替えるモード切替手段とを備え、
前記目標駆動力設定手段は、前記走行モードが前記通常モードから前記加速要求モードに切り替えられた場合に、前記アクセル開度と、モード切り替え時の車速とに基づいて前記目標駆動力を設定する車両制御装置。
【請求項２】
請求項１に記載の車両制御装置であって、
前記加速要求判定手段は、前記加速要求モードとなった後に、前記アクセル開度が所定開度よりも大きくなると、更なる加速要求がされたと判定し、
前記目標駆動力設定手段は、前記加速要求モードとなっており、前記更なる加速要求がされた場合に、前記アクセル開度と、前記更なる加速要求がされた時の車速とに基づいて前記目標駆動力を設定する車両制御装置。
【請求項３】
請求項１または２に記載の車両制御装置であって、
前記加速要求モード時のアクセル開度を、前記通常モード時のアクセル開度よりも小さくするアクセル開度補正手段を備える車両制御装置。
【請求項４】
車速とアクセル開度とに基づいて目標駆動力を設定し、
前記目標駆動力を実現するように無段変速機の目標変速比を設定し、
前記目標駆動力と変速比とに基づいて駆動源の目標トルクを設定する車両の制御方法であって、
前記車速を検出し、
前記アクセル開度を検出し、
前記アクセル開度に基づいて加速要求を判定し、
前記加速要求に基づいて、走行モードを通常モード、または加速要求モードに切り替え、
前記目標駆動力は、前記走行モードが前記通常モードから前記加速要求モードに切り替えられた場合に、前記アクセル開度と、モード切り替え時の車速とに基づいて設定される車両の制御方法。
【発明の詳細な説明】
【技術分野】
【０００１】
本発明は車両制御装置および車両の制御方法に関するものである。
【背景技術】
【０００２】
従来、加速要求があった場合には、通常時の目標駆動力設定方法とは異なる方法で加速要求時の目標駆動力を設定する制御装置が、ＪＰ２００６−５１８４２Ａに開示されている。【０００３】
ＪＰ２００６−５１８４２Ａの制御装置では、通常時の目標駆動力をアクセル開度と、車速とからマップを用いて設定している。また、加速要求時の目標駆動力を走行抵抗、アクセル踏込補正値、車速変化補正値などを加算して設定している。
【発明の概要】
【０００４】
しかし、上記発明では、通常時と加速要求時とで目標駆動力の設定方法が別であり、加速要求時の目標駆動力をマップではなく、補正量などによって演算しているので、目標駆動力の演算が煩雑である、といった問題点がある。
【０００５】
本発明はこのような問題点を解決するために発明されたもので、加速要求時の目標駆動力を容易に設定することを目的とする。
【０００６】
本発明のある態様に係る車両制御装置は、車速とアクセル開度とに基づいて目標駆動力を設定する目標駆動力設定部と、目標駆動力を実現するように無段変速機の目標変速比を設定する目標変速比設定部と、目標駆動力と変速比とに基づいて駆動源の目標トルクを設定する目標トルク設定部とを備えた車両制御装置である。車両制御装置は、車速を検出する車速検出部と、アクセル開度を検出するアクセル開度検出部と、アクセル開度に基づいて加速要求を判定する加速要求判定部と、加速要求に基づいて、走行モードを通常モード、または加速要求モードに切り替えるモード切替部とを備え、目標駆動力設定部は、走行モードが通常モードから加速要求モードに切り替えられた場合に、アクセル開度と、モード切り替え時の車速とに基づいて目標駆動力を設定する。
【図面の簡単な説明】
【０００７】
【図１】図１は本実施形態の車両の一部を示す概略構成図である。
【図２】図２は本実施形態の目標変速比、目標エンジントルクの設定方法を説明する制御ブロック図である。
【図３】図３は本実施形態における目標駆動力、車両の加速度の変化を示すタイムチャートである。
【図４】図４は加速要求モードにおける目標駆動力について説明するマップである。
【図５】図５は加速要求モードにおける目標駆動力について説明するマップである。
【発明を実施するための形態】
【０００８】
以下、添付図面を参照しながら本発明の実施形態について説明する。
【０００９】
図１を参照すると、車両の内燃エンジン１の出力はトルクコンバータ１１を介して無段変速機１２に入力される。無段変速機１２はプライマリプーリ１３とセカンダリプーリ１４と、これらに掛け回されたＶベルト１５とを備える。プライマリプーリ１３は油圧Ｐｐｒｉに応じて溝幅を変化させることで、Ｖベルト１５との接触半径を変化させる。セカンダリプーリ１４は油圧Ｐｓｅｃに応じて溝幅を変化させることで、Ｖベルト１５との接触半径を変化させる。結果として、無段変速機１２は油圧Ｐｐｒｉと油圧Ｐｓｅｃの制御に応じて、入力回転速度と出力回転速度の比、すなわち変速比を無段階に変化させる。油圧Ｐｐｒｉと油圧Ｐｓｅｃは油圧供給装置１６により生成される。
【００１０】
セカンダリプーリ１４はファイナルギア１８とディファレンシャル１９を介して駆動輪に結合する。
【００１１】
内燃エンジン１は吸気量を調整する吸気スロットル装置３を備える。吸気スロットル装置３は、内燃エンジン１の吸気通路２に設けた吸気スロットル４と、吸気スロットル４の開度を入力信号に応じて変化させる電動モータ５を備える。
【００１２】
油圧供給装置１６と吸気スロットル装置３はコントローラ２１が出力する指令信号に応じて作動する。
【００１３】
コントローラ２１は中央演算装置（ＣＰＵ）、読み出し専用メモリ（ＲＯＭ）、ランダムアクセスメモリ（ＲＡＭ）及び入出力インタフェース（Ｉ／Ｏ  インタフェース）を備えたマイクロコンピュータで構成される。コントローラ２１を複数のマイクロコンピュータで構成することも可能である。
【００１４】
コントローラ２１には吸気スロットル４のスロットル開度を検出するスロットル開度センサ６、車両が備えるアクセルペダル７のアクセル開度を検出するアクセル開度センサ２２、内燃エンジン１の回転速度を検出するエンジン回転速度センサ２３、プライマリプーリ１３の回転速度を検出するプライマリプーリ回転速度センサ２４、及び車両の走行速度を検出する車速センサ２６から検出信号がそれぞれ信号として入力される。
【００１５】
コントローラ２１はこれらの検出信号に応じて、吸気スロットル４の開度制御と、油圧供給装置１６を介した無段変速機１２の変速制御を行うことで、車両の駆動力を制御する。
【００１６】
次に本実施形態の目標変速比、目標エンジントルクの設定方法について図２の制御ブロック図を用いて説明する。以下で説明する制御は、コントローラ２１によって実行される。
【００１７】
加速要求判定部３０は、アクセル開度センサ２２からの信号に基づいて運転者による加速要求を判定する。具体的には、加速要求判定部３０は、アクセル開度の単位時間あたりの増加量が第１所定増加量よりも大きい場合には加速要求がされていると判定する。また、加速要求判定部３０は、走行モードが後述する加速要求モードに切り替えられた後には、アクセルペダル７が踏み増しされてアクセル開度が所定開度よりも大きくなると、更なる加速要求がされたと判定する。所定開度は段階的に複数設定されており、加速要求判定部３０はアクセルペダル７が踏み増しされてアクセル開度が大きくなり、段階的に複数設定された所定開度となる度に更なる加速要求がされたと判定する。つまり、加速要求判定部３０は、加速要求モードでアクセルペダル７が踏み増しされ、アクセル開度が或る所定開度（例えば第１所定開度）となると更なる加速要求がされたと判定し、更にアクセルペダル７が踏み増しされ、その次に設定された或る所定開度（例えば第２所定開度）となると、また更なる加速要求がされたと判定する。一方、加速要求判定部３０は、アクセル開度の単位時間あたりの増加量が第１所定増加量よりも小さい場合には加速要求がされていないと判定する。なお、走行モードが加速要求モードに切り替えられた後は、アクセル開度の単位時間あたりの増加量が、第２所定増加量よりも小さくなった場合に加速要求がなくなったと判定する。第２所定増加量は、第１所定増加量よりも小さい値であり、例えば負の値である。
【００１８】
モード切替部３１は、加速要求判定部３０からの信号に基づいて、車両の走行モードを通常モード、または加速要求モードに切り替える。モード切替部３１は、加速要求判定部３０で加速要求がされたと判定されると、走行モードを通常モードから加速要求モードに切り替える。モード切替部３１は、加速要求判定部３０で加速要求がなくなったと判定されると、走行モードを加速要求モードから通常モードに切り替える。なお、モード切替部３１は、上記した走行モードの切り替えを行う場合以外では、現在の走行モードを維持する。
【００１９】
車速選択部３２は、走行モードが通常モードである場合には、車速センサ２６によって検出された現在の車速を選択し、走行モードが通常モードから加速要求モードに切り替わった場合には、加速要求モードに切り替わった時に車速センサ２６によって検出された車速を選択し、加速要求モード中はその車速を保持する。なお、加速要求モード中に更なる加速要求があった場合には、車速選択部３２は、保持されている車速を更なる加速要求があった時に車速センサ２６によって検出された車速に更新し、更新した車速を保持する。つまり、加速要求モード中は、車速選択部３２は、更なる加速要求がある度に車速を更新し、その後保持する。
【００２０】
アクセル開度補正部３３は、アクセル開度センサ２２によって検出したアクセル開度をマップに基づいて補正し、アクセル開度補正値を算出する。アクセル開度補正値は、補正前のアクセル開度よりも小さくなる。
【００２１】
アクセル開度選択部３４は、走行モードに応じて、補正されていないアクセル開度、またはアクセル開度補正値を選択する。アクセル開度選択部３４は、走行モードが通常モードである場合には補正されていないアクセル開度を選択し、走行モードが加速要求モードである場合にはアクセル開度補正値を選択する。
【００２２】
目標駆動力設定部３５は、車速選択部３２によって選択した車速と、アクセル開度選択部３４によって選択したアクセル開度とに基づいて目標駆動力を設定する。
【００２３】
走行モードが通常モードである場合には、目標駆動力設定部３５は、車速センサ２６によって検出された現在の車速と、補正されていないアクセル開度とに基づいて、マップから目標駆動力を設定する。
【００２４】
走行モードが通常モードから加速要求モードに切り替わった時には、目標駆動力設定部３５は、加速要求モードに切り替わった時に車速センサ２６によって検出された車速と、補正されたアクセル開度とに基づいてマップから目標駆動力を設定する。
【００２５】
走行モードが加速要求モードである場合には、目標駆動力設定部３５は、保持されている車速と、補正されたアクセル開度とに基づいてマップから目標駆動力を設定する。そして、走行モードが加速要求モードであり、更なる加速要求がされた時には、車速が、保持されていた車速から更なる加速要求がされた時に車速センサ２６によって検出された車速に更新されるので、目標駆動力設定部３５は、更新された車速と、補正されたアクセル開度とに基づいてマップから目標駆動力を設定する。
【００２６】
なお、目標駆動力設定部３５では、走行モードが加速要求モードであっても、現在の車速とアクセル開度とに基づいて目標駆動力の上限値が設定されており、上記した加速要求モードで設定される目標駆動力が上限値よりも大きくなる場合には、目標駆動力は上限値に設定される。
【００２７】
目標出力設定部３６は、目標駆動力設定部３５によって設定された目標駆動力と、車速センサ２６によって検出された現在の車速とを乗算し、目標出力を設定する。
【００２８】
目標エンジン回転速度設定部３７は、目標出力に基づいてマップから目標エンジン回転速度を設定する。
【００２９】
目標出力回転速度演算部３８は、車速センサ２６によって検出した車速に基づいて無段変速機１２のセカンダリプーリ１４の回転速度を算出する。
【００３０】
目標変速比設定部３９は、目標エンジン回転速度をセカンダリプーリ１４の回転速度で除算することで、目標変速比を設定する。
【００３１】
目標エンジントルク設定部４０は、目標駆動力と駆動輪の半径とを乗算し、乗算した値を目標変速比とファイナルギア比とで除算することで目標エンジントルクを設定する。
【００３２】
このようにして設定した、目標変速比に基づいて無段変速機１２が制御され、目標エンジントルクに基づいて吸気スロットル４が制御される。
【００３３】
次に、本実施形態を用いた場合の加速要求モードにおける目標駆動力、車両の加速度の変化などについて図３のタイムチャートを用いて説明する。
【００３４】
時間ｔ０において、アクセルペダル７が踏み込まれて加速要求がされ、走行モードは通常モードから加速要求モードに切り替わる。これにより、目標駆動力を設定するための車速が、加速要求モードに切り替わった時の車速に保持される。ここではアクセル開度が一定となっており、目標駆動力も一定である。また、アクセル開度、目標駆動力が一定なので、車両の加速度は維持される。
【００３５】
本実施形態を用いずに、車速センサ２６によって検出される現在の車速に基づいて目標駆動力を設定すると、車速が高くなり、アクセル開度が一定なので、目標駆動力は図３において破線で示すように小さくなる。そのため、車両加速度も小さくなる。
【００３６】
ここで、図４に示す目標駆動力を設定するマップを用いて説明する。車速Ｖ１、アクセル開度ＡＰＯ１で走行モードが通常モードから加速要求モードに変更されると、本実施形態では目標駆動力を設定するための車速が車速Ｖ１に保持される。そのため、アクセル開度ＡＰＯ１が一定の場合には、実際の車速が高くなっても目標駆動力は矢印Ａで示すように一定である。
【００３７】
一方、本実施形態を用いずに、現在の車速に基づいて目標駆動力を設定すると、目標駆動力は矢印Ｂで示すように小さくなる。
【００３８】
このように、本実施形態では、目標駆動力が大きいので、加速要求がされたときの車両の加速性がよい。
【００３９】
図３に戻り、時間ｔ１において、アクセルペダル７が踏み増しされ、更なる加速要求がされる。これにより、目標駆動力を設定するための車速が、更なる加速要求がされた時の車速に更新される。目標駆動力は更新された車速に基づいて設定される。
【００４０】
ここで、車速を更新しない場合について、図４に示すマップを用いて説明する。
【００４１】
車速Ｖ１、アクセル開度ＡＰＯ１で走行モードが通常モードから加速要求モードに変更され、実際の車速が「Ｖ２」となった時にアクセルペダル７が踏み増しされて、アクセル開度が「ＡＰＯ１」から「ＡＰＯ２」に変更され、更なる加速要求がされる。本実施形態では、目標駆動力を設定するための車速が「Ｖ１」から「Ｖ２」に更新され、その後実際の車速が高くなっても目標駆動力は矢印Ｃに示すように一定である。
【００４２】
一方、車速を更新せずに「Ｖ１」に保持すると、目標駆動力は車速Ｖ１、アクセル開度ＡＰＯ２に基づいて設定され、点ａに示す値となる。そのため、実際の車速が高くなっても目標駆動力は矢印Ｄに示すように一定となる。しかし、この目標駆動力は、現在の車速に基づいて設定される上限値よりも大きいので、実際には矢印Ｅに示すように制限される。従って、目標駆動力は実際の車速が高くなるにつれて小さくなり、加速度も次第に小さくなる（この場合の目標駆動力、車両の加速度を図３において点線で示す。）。
【００４３】
このように車速を更新することで、アクセルペダル７が踏み増しされた時の加速度は、車速を更新しない場合の加速度よりも小さくなるが、その後、加速度が低下することを抑制することができ、加速度の伸び感を維持することができる。
【００４４】
本発明の実施形態の効果について説明する。
【００４５】
走行モードが通常モードから加速要求モードに切り替えられた場合に、アクセル開度と、モード切り換え時の車速とに基づいて目標駆動力を設定する。これにより、加速要求モードにおいても通常モードで用いるマップに基づいて目標駆動力を設定することができ、煩雑な計算をせずに目標駆動力を設定し、車両を加速させることができる。
【００４６】
走行モードが加速要求モードである場合には、目標駆動力を設定するための車速を保持することで、実際の車速の増大とともに目標駆動力が小さくなることを抑制し、車両の加速性をよくすることができる。
【００４７】
走行モードが加速要求モードである場合には、車速をモード切り換え時の車速に保持しているが、アクセル開度に応じて目標駆動力を設定することができ、運転者によるアクセルペダル７の踏み込みに応じて目標駆動力を設定して車両を加速させることができる。
【００４８】
走行モードが加速要求モードとなった後に、更なる加速要求がされた場合には、目標駆動力を設定する車速を、更なる加速要求がされた時の車速に更新する。これにより、目標駆動力が上限値に制限されることを抑制し、目標駆動力、加速度が、車速が高くなるにつれて低下することを抑制し、加速度の伸び感を維持することができる。
【００４９】
走行モードが加速要求モードである場合には、アクセル開度を、通常モードのアクセル開度よりも小さくなるように補正し、アクセル開度補正値を用いて目標駆動力を設定する。走行モードが加速要求モードである場合には、例えば、図５に示すようにアクセル開度センサ２２によって検出されるアクセル開度ＡＰＯから、アクセル開度ＡＰＯ’に補正することで、図５の点線で示すように目標駆動力が上限値に制限されることを抑制し、図５の実線で示すように目標駆動力を一定として、加速度の伸び感を維持することができる。
【００５０】
以上、本発明の実施形態について説明したが、上記実施形態は本発明の適用例の一部を示したに過ぎず、本発明の技術的範囲を上記実施形態の具体的構成に限定する趣旨ではない。
【００５１】
上記した無段変速機１２はハイブリッド車両に搭載してもよく、モータが駆動源として機能してもよい。
【００５２】
本願は２０１２年９月１９日に日本国特許庁に出願された特願２０１２−２０５８８５に基づく優先権を主張し、この出願の全ての内容は参照により本明細書に組み込まれる。
【図１】
2014045697.tif 000003
【図２】
2014045697.tif 000004
【図３】
2014045697.tif 000005
【図４】
2014045697.tif 000006
【図５】
2014045697.tif 000007
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
車速とアクセル開度とに基づいて目標駆動力を設定する目標駆動力設定手段と、
前記目標駆動力を実現するように無段変速機の目標変速比を設定する目標変速比設定手段と、
前記目標駆動力と変速比とに基づいて駆動源の目標トルクを設定する目標トルク設定手段とを備えた車両制御装置であって、
前記車速を検出する車速検出手段と、
前記アクセル開度を検出するアクセル開度検出手段と、
前記アクセル開度に基づいて加速要求を判定する加速要求判定手段と、
前記加速要求に基づいて、走行モードを通常モード、または加速要求モードに切り替えるモード切替手段とを備え、
前記目標駆動力設定手段は、前記走行モードが前記通常モードから前記加速要求モードに切り替えられた場合に、前記加速要求モード中は、前記アクセル開度検出手段によって検出された前記アクセル開度と、モード切り替え時の車速とに基づいて前記目標駆動力を設定する車両制御装置。
【請求項２】
請求項１に記載の車両制御装置であって、
前記加速要求判定手段は、前記加速要求モードとなった後に、前記アクセル開度が所定開度よりも大きくなると、更なる加速要求がされたと判定し、
前記目標駆動力設定手段は、前記加速要求モードとなっており、前記更なる加速要求がされた場合に、前記更なる加速要求がされた後は、前記アクセル開度検出手段によって検出された前記アクセル開度と、前記更なる加速要求がされた時の車速とに基づいて前記目標駆動力を設定する車両制御装置。
【請求項３】
請求項１または２に記載の車両制御装置であって、
前記加速要求モード時のアクセル開度を、前記通常モード時のアクセル開度よりも小さくするアクセル開度補正手段を備える車両制御装置。
【請求項４】
車速とアクセル開度とに基づいて目標駆動力を設定し、
前記目標駆動力を実現するように無段変速機の目標変速比を設定し、
前記目標駆動力と変速比とに基づいて駆動源の目標トルクを設定する車両の制御方法であって、
前記車速を検出し、
前記アクセル開度を検出し、
前記アクセル開度に基づいて加速要求を判定し、
前記加速要求に基づいて、走行モードを通常モード、または加速要求モードに切り替え、
前記目標駆動力は、前記走行モードが前記通常モードから前記加速要求モードに切り替えられた場合に、前記加速要求モード中は、検出された前記アクセル開度と、モード切り替え時の車速とに基づいて設定される車両の制御方法。
【手続補正２】
【補正対象書類名】明細書
【補正対象項目名】０００６
【補正方法】変更
【補正の内容】
【０００６】
本発明のある態様に係る車両制御装置は、車速とアクセル開度とに基づいて目標駆動力を設定する目標駆動力設定部と、目標駆動力を実現するように無段変速機の目標変速比を設定する目標変速比設定部と、目標駆動力と変速比とに基づいて駆動源の目標トルクを設定する目標トルク設定部とを備えた車両制御装置である。車両制御装置は、車速を検出する車速検出部と、アクセル開度を検出するアクセル開度検出部と、アクセル開度に基づいて加速要求を判定する加速要求判定部と、加速要求に基づいて、走行モードを通常モード、または加速要求モードに切り替えるモード切替部とを備え、目標駆動力設定部は、走行モードが通常モードから加速要求モードに切り替えられた場合に、加速要求モード中は、アクセル開度検出部によって検出したアクセル開度と、モード切り替え時の車速とに基づいて目標駆動力を設定する。
【国際調査報告】
2014045697.tif 000008
2014045697.tif 000009